【手続補正書】
【提出日】平成16年4月19日(2004.4.19)
【手続補正１】
【補正対象書類名】明細書
【補正対象項目名】特許請求の範囲
【補正方法】変更
【補正の内容】
【特許請求の範囲】
【請求項１】
電池電力レベルがしきい値より低い第１の移動局からの信号を基地局で受信するステップ、
前記信号の受信に応答して、前記基地局で、他の移動局に割り当てられた周波数チャネルより低い混信レベルの周波数チャネルを前記第１移動局に割り当てるステップ、
前記第１及び他の移動局への割当のメッセージを送信するステップ、
を備えることを特徴とする無線ネットワークの移動局管理方法。
【請求項２】
前記それぞれの周波数の混信レベルが、周波数チャネルごとに測定された信号対混信比に基づくことを特徴とする請求項１記載の移動局管理方法。
【請求項３】
前記信号に応答して、他の移動局からのメッセージの送信前に前記第１移動局からのメッセージの送信を行うための移動通信スケジュールを、前記基地局で変更するステップを更に備えることを特徴とする請求項１記載の移動局管理方法。
【請求項４】
前記第１移動局が送信を行うためのハイプライオリティメッセージ及びロープライオリティメッセージを有し、前記変更するステップが、
前記ハイプライオリティメッセージの送信を、前記他の移動局からのハイプライオリティメッセージの送信前に行うステップ及び、
前記ロープライオリティメッセージの送信を、前記他の移動局からのロープライオリティメッセージの送信前に行い、前記他の移動局からのハイプライオリティメッセージの送信前には行わないステップを備えることを特徴とする請求項３記載の移動局管理方法。
【請求項５】
第１しきい値より低い電池電力レベルの前記第１移動局が送信するための第１のハイプライオリティメッセージ及び第１のロープライオリティメッセージを有し、さらに、
電池電力レベルが前記第１しきい値を越える第２しきい値より低い第２移動局からの信号を基地局で受信し、この第２移動局が送信のための第２ハイプライオリティメッセージ及び第２ロープライオリティメッセージを有するステップを備え、
前記変更するステップとして、前記メッセージの送信を、第１ハイプライオリティメッセージ、第２ハイプライオリティメッセージ、他の移動局からのハイプライオリティメッセージ及び第１ロープライオリティメッセージ、第２ロープライオリティメッセージ、他の移動局からのロープライオリティメッセージの順序で送信するステップを有することを特徴とする請求項３記載の移動局管理方法。
【請求項６】
複数の移動局のそれぞれからの信号を基地局で受信し、それぞれの信号が対応する移動局の電池電力レベルを表すステップ、
表示された電池電力レベル及びそれぞれの周波数チャネルの混信レベルに基づくそれぞれの移動局に周波数チャネルを前記基地局が割り当てるステップと、
それぞれの移動局に割当て情報を送信するステップ、
を備えることを特徴とする移動局管理方法。
【請求項７】
しきい値より低い電池電力レベルのそれぞれの移動局に周波数チャネルを基地局で割り当て、この移動局のそれぞれに、これより高い電池電力レベルの移動局に割り当てたものより低い混信レベルの周波数チャネルを割り当てることを特徴とする請求項６記載の移動局管理方法。
【請求項８】
それぞれの周波数チャネルの混信レベルが、周波数チャネルごとに測定された信号対混信比に対応することを特徴とする請求項６記載の移動局管理方法。
【請求項９】
前記信号に応答して、しきい値より低い電池電力レベルのそれぞれの移動局からのメッセージの送信を他の移動局からのメッセージの送信前に行うように移動送信スケジュールを、前記基地局で変更するステップを更に備えることを特徴とする請求項６記載の移動局管理方法。
【請求項１０】
前記移動局が送信を行うためのハイプライオリティメッセージ及びロープライオリティメッセージを有し、前記変更するステップが、
前記ハイプライオリティメッセージの送信を前記他の移動局からのハイプライオリティメッセージの送信前に行うステップ、
前記ロープライオリティメッセージの送信を、前記他の移動局からのロープライオリティメッセージの送信前及び前記他の移動局からのハイプライオリティメッセージの送信前には行わないステップを備えることを特徴とする請求項９記載の移動局管理方法。
【請求項１１】
しきい値より低い電池電力レベルの移動局が送信するための第１のハイプライオリティメッセージ及び第１のロープライオリティメッセージを有し、
電池電力レベルが前記第１しきい値より高く、かつ、第２しきい値より低い第２移動局からの信号を基地局で受信し、この第２移動局が送信のための第２ハイプライオリティメッセージ及び第２ロープライオリティメッセージを有するステップを更に備え、
前記変更するステップが、前記メッセージの送信を、第１ハイプライオリティメッセージ、第２ハイプライオリティメッセージ、他の移動局からのハイプライオリティメッセージ、第１ロープライオリティメッセージ、第２ロープライオリティメッセージ、他の移動局からのロープライオリティメッセージの順序で送信するステップを備えることを特徴とする請求項９記載の移動局管理方法。
【請求項１２】
電池電力レベルがしきい値より低い第１の移動局からの信号を基地局で受信する手段、
前記信号の受信に応答して、他の移動局に割り当てられた周波数チャネルより低い混信レベルの周波数チャネルを前記第１移動局に前記基地局が割り当てる手段、
前記第１及び他の移動局に割当て情報を送信する手段と、
を備える無線ネットワークで構成されることを特徴とする移動局管理システム。
【請求項１３】
それぞれの周波数の混信レベルが、周波数チャネルごとに測定された信号対混信比に対応することを特徴とする請求項１２記載の移動局管理システム。
【請求項１４】
前記信号に応答して、他の移動局からのメッセージの送信前に前記第１移動局からのメッセージの送信を行うように移動送信スケジュールを、前記基地局で変更する手段を更に備えることを特徴とする請求項１２記載の移動局管理システム。
【請求項１５】
前記第１移動局が送信するためのハイプライオリティメッセージ及びロープライオリティメッセージを有し、前記変更する手段が、
前記ハイプライオリティメッセージの送信を前記他の移動局からのハイプライオリティメッセージの送信前に行う手段及び、
前記ロープライオリティメッセージの送信を、前記他の移動局からのロープライオリティメッセージの送信前に行い、前記他の移動局からのハイプライオリティメッセージの送信前には行わない手段、
をさらに備えることを特徴とする請求項１４記載の移動局管理システム。
【請求項１６】
第１しきい値より低い電池電力レベルの前記第１移動局が送信するための第１のハイプライオリティメッセージ及び第１のロープライオリティメッセージを有し、
電池電力レベルが前記第１しきい値を越え、かつ、第２しきい値より低い第２移動局からの信号を基地局で受信し、この第２移動局が送信のための第２ハイプライオリティメッセージ及び第２ロープライオリティメッセージを有する手段を更に備え、
前記変更する手段が、前記メッセージの送信を、第１ハイプライオリティメッセージ、第２ハイプライオリティメッセージ、他の移動局からのハイプライオリティメッセージ、第１ロープライオリティメッセージ、第２ロープライオリティメッセージ、他の移動局からのロープライオリティメッセージの順序で送信する手段を備えることを特徴とする請求項１４記載の移動局管理システム。
【請求項１７】
複数の移動局のそれぞれからの信号を基地局で受信し、この、それぞれの信号が対応する移動局の電池電力レベルを表す手段、
それぞれの移動局における表示電池電力レベル及びそれぞれの周波数チャネルの混信レベルに基づいた周波数チャネルを、前記移動局に前記基地局が割り当てる手段、
それぞれの移動局に割当て情報を送信する手段、
を備えることを特徴とする無線ネットワークにおける移動局管理システム。
【請求項１８】
しきい値より低い電池電力レベルのそれぞれの移動局に周波数チャネルを基地局が割り当て、この移動局のそれぞれに、これより高い電池電力レベルの移動局に割り当てたものより低い混信レベルの周波数チャネルを割り当てることを特徴とする請求項１７記載の移動局管理システム。
【請求項１９】
それぞれの周波数チャネルの混信レベルが、周波数チャネルごとに測定した信号対混信比に基づくことを特徴とする請求項１７記載の移動局管理システム。
【請求項２０】
前記信号に応答して、しきい値より低い電池電力レベルのそれぞれの移動局からのメッセージの送信を、他の移動局からのメッセージの送信前に行うように、移動送信スケジュールを前記基地局で変更する手段を更に備えることを特徴とする請求項１７記載の移動局管理システム。
【請求項２１】
前記移動局が送信するためのハイプライオリティメッセージ及びロープライオリティメッセージを有し、前記変更する手段が、
前記ハイプライオリティメッセージの送信を前記他の移動局からのハイプライオリティメッセージの送信前に行う手段、
前記ロープライオリティメッセージの送信を、前記他の移動局からのロープライオリティメッセージの送信前に行い、前記他の移動局からのハイプライオリティメッセージの送信前には行わない手段、
を備えることを特徴とする請求項２０記載の移動局管理システム。
【請求項２２】
しきい値より低い電池電力レベルの移動局が送信するための第１のハイプライオリティメッセージ及び第１のロープライオリティメッセージを有し、
電池電力レベルが前記第１しきい値より高く、かつ、第２しきい値より低い第２移動局からの信号を基地局で受信し、この第２移動局が送信のための第２ハイプライオリティメッセージ及び第２ロープライオリティメッセージを有する手段を更に備え、
前記変更するステップが、前記メッセージの送信を、第１ハイプライオリティメッセージ、第２ハイプライオリティメッセージ、他の移動局からのハイプライオリティメッセージ、第１ロープライオリティメッセージ、第２ロープライオリティメッセージ、他の移動局からのロープライオリティメッセージの順序で送信する手段を備えることを特徴とする請求項２０記載の移動局管理システム。